(57)【要約】【課題】タッチパネルを備えた情報処理装置で、必要な情報を過不足なく表示し、迅速に入力を行う。【解決手段】  本発明の情報処理装置１では、表示部１０、入力部２０、入力制御部３０、および表示制御部４０を有する。表示部１０は、複数の選択肢の中から一つを選択させるためのＧＵＩ部品Ｇ１であって、選択肢のタイトル部分Ｇ１１、および選択肢の項目部分Ｇ１２から構成されるＧＵＩ部品Ｇ１を表示する。入力部（タッチパネル）２０はＧＵＩ部品Ｇ１のタップ操作、フリック操作、スワイプ操作などを受け付ける。表示制御部４０は、入力部２０が受け付けたＧＵＩ部品のタップ操作に基づいて、選択肢の表示が順次切り替わるとともに、表示中の項目が選択状態となるように表示部１０へのＧＵＩ部品Ｇ１の表示を制御する。【選択図】図３
2013254249.tif 000002
【特許請求の範囲】
【請求項１】
タブレット端末などの比較的表示画面が小さな情報処理装置において、
複数の選択肢の中から一つを選択させるためのＧＵＩ部品であって、前記選択肢のタイトル部分、および前記選択肢の項目部分から構成されるＧＵＩ部品を表示する表示部と、
前記ＧＵＩ部品のタップ操作、フリック操作、スワイプ操作などを受け付ける入力部と、
前記入力部が受け付けた操作の種類を判別する入力制御部と、
前記入力部が受け付けた前記ＧＵＩ部品のタップ操作に基づいて、前記選択肢の表示が順次切り替わるとともに、表示中の項目が選択状態となるように前記表示部への前記ＧＵＩ部品の表示を制御する表示制御部と、
を有する情報処理装置。
【請求項２】
さらに、前記表示制御部は、前記入力部が受け付けた前記ＧＵＩ部品のタップ操作に基づいて、前記項目部分の表示状態が選択されている項目により変化するように前記表示部への前記ＧＵＩ部品の表示を制御する、請求項１に記載の情報処理装置。
【請求項３】
タブレット端末などの比較的表示画面が小さな情報処理装置において、
数値を入力させるためのＧＵＩ部品であって、入力する数値のタイトル部分、および数値の入力とその入力値を示す数値入力部分から構成されるＧＵＩ部品を表示する表示部と、
前記ＧＵＩ部品のタップ操作、フリック操作、スワイプ操作などを受け付ける入力部と、
前記入力部が受け付けた操作の種類を判別する入力制御部と、
前記入力部が受け付けたタップ操作に基づいて、前記数値入力部分の入力値が一定値ずつインクリメントするように前記表示部への前記ＧＵＩ部品の表示を制御する表示制御部と、
を有する情報処理装置。
【請求項４】
さらに、前記入力制御部は、前記入力部が受け付けた前記ＧＵＩ部品のフリック操作またはスワイプ操作に基づいて、前記数値入力部分の入力値が一定値ずつデクリメントするように前記表示部への前記ＧＵＩ部品の表示を制御する、請求項３に記載の情報処理装置。
【請求項５】
１つのＧＵＩ部品につきインクリメントとデクリメントの変化量は同じとする、請求項４に記載の情報処理装置。
【請求項６】
入力値に対して境界値を設定しておき、境界値に対する入力値の割合に応じて数値入力部の表示状態を変化させる、請求項４または５に記載の情報処理装置。
【請求項７】
さらに、入力値が境界値に近づいた場合に、数値タイトル部の表示状態を変化させる、請求項６に記載の情報処理装置。
【請求項８】
さらに、入力値が境界値と同じになった場合に、数値タイトル部の表示状態を変化させる、請求項７に記載の情報処理装置。
【請求項９】
さらに、入力値が境界値を超えた場合に、数値タイトル部の表示状態を変化させる、請求項７または８に記載の情報処理装置。
【請求項１０】
さらに、入力値が境界値近傍を外れた場合に、数値タイトル部の表示状態を変化させる、請求項７または８に記載の情報処理装置。
【発明の詳細な説明】
【技術分野】
【０００１】
タブレット端末などの比較的表示画面が小さく、タッチパネルを使用し入力を行う情報処理装置に関する。
【背景技術】
【０００２】
タブレット端末などの比較的表示画面が小さく、タッチパネルを使用し入力を行う情報処理装置が一般に用いられるようになってきている。このような情報処理装置において、多くの情報を１画面に表示させるためには、画面をスクロールさせる方法が一般的である。
【０００３】
複数の選択肢からいずれか１つを選択させるＧＵＩ部品として、ラジオボタンが一般的に用いられる。数値入力においては、ソフトウェアキーボードを用いるのが一般的である。
【０００４】
タブレット端末などの比較的表示画面が小さな情報処理装置では、表示部の画素数が減り、表示可能な情報量が少なくなる（例えば、特許文献１参照。）。あるいは、画素数が減らなくとも、１つ１つの画素が小さくなり、文字、あるいは、ボタンといった表示部品が小さく表示され、読みにくく、操作し辛い。視認性や操作性を維持しつつ、画面部品を配置するには、画面をスクロールさせるか、複数の画面に配置するということが必要となる。
【先行技術文献】
【特許文献】
【０００５】
【特許文献１】特開２０１２−３５４５号公報
【発明の概要】
【発明が解決しようとする課題】
【０００６】
しかし、関連する項目はスクロールせずに１画面で閲覧できることが望ましい。また、項目を一画面で閲覧する場合は、それぞれの項目の状態が一目で把握できることが望ましい。
【０００７】
例えば、医療分野の小型端末では、入力する内容は専門的である一方、入力方法としては自由な文字入力ではなく、選択肢や、数値入力で行う場合が多い。介護分野についても同様の傾向がある。
【０００８】
従来の複数の選択肢から１つを選択させるものとしては、ラジオボタンや、コンボボックスがある。ラジオボタンは選択肢を一覧できるが、タブレットなどの小さい画面では、選択肢が多くなると、部品が小さくなり、読みにくい、操作しにくいなどの不都合がある。
【０００９】
専門的な内容が多い、医療分野の小型端末では、その分野に慣れていない医療従事者にとって過不足の無い情報を示すようなＧＵＩが必要となる。従来のラジオボタンやコンボボックスでは、このようなニーズに応えられない。
【００１０】
また、数値入力を行う場合に、数値を素早く入力するとともに、入力した数値の状態を一覧できることが望まれるが、従来のＧＵＩではこのようなニーズに応えられていない。
【００１１】
この発明は上記課題に鑑みてなされたものであり、タッチパネルを備えた情報処理装置で、必要な情報を過不足なく表示し、迅速に入力を行うことを目的とする。過不足のない情報を示すことが可能で、入力した数値の状態の一覧性も保たれ、かつ、操作性の良い、ＧＵＩ部品を表示する情報処理装置を提供することを目的とする。
【課題を解決するための手段】
【００１２】
情報処理装置は、タブレット端末などの比較的小さな表示画面を備えるものである。本発明の情報処理装置では、表示部、入力部、入力制御部、および表示制御部を有する。
【００１３】
表示部は、複数の選択肢の中から一つを選択させるためのＧＵＩ部品であって、選択肢のタイトル部分、および選択肢の項目部分から構成されるＧＵＩ部品を表示する。入力部はＧＵＩ部品のタップ操作、フリック操作、スワイプ操作などを受け付ける。表示制御部は、入力部が受け付けたＧＵＩ部品のタップ操作に基づいて、選択肢の表示が順次切り替わるとともに、表示中の項目が選択状態となるように表示部へのＧＵＩ部品の表示を制御する。
【００１４】
この構成によると、ＧＵＩ部品のタップ操作によって、複数の選択肢の中から迅速に所望の選択肢を選択することが可能である。また、複数の選択肢の一覧表示をしなくて良いので、ＧＵＩ部品を、操作しやすい大きめのサイズに設定することが可能である。
【００１５】
さらに、表示制御部は、入力部が受け付けたＧＵＩ部品のタップ操作に基づいて、項目部分の表示状態が選択されている項目により変化するように表示部へのＧＵＩ部品の表示を制御することにより、選択状態を分かり易く表示することが可能である。
【００１６】
また、本発明の表示装置では、表示部は、入力する数値のタイトル部分、および数値のン入力とその入力値を示す数値入力部分から構成されるＧＵＩ部品を表示する。入力部はＧＵＩ部品のタップ操作、フリック操作、スワイプ操作などを受け付ける。入力制御部は入力部が受け付けた操作の種類を判別する。表示制御部は、入力部が受け付けたタップ操作に基づいて、数値入力部分の入力値が一定値ずつインクリメントするように表示部へのＧＵＩ部品の表示を制御する。
【００１７】
この構成によると、ＧＵＩ部品のタップ操作によって、迅速に数値を入力することが可能である。また、複数の選択肢の一覧表示をしなくて良いので、ＧＵＩ部品を、操作しやすい大きめのサイズに設定することが可能である。
【００１８】
さらに、入力制御部は、入力部が受け付けたＧＵＩ部品のフリック操作またはスワイプ操作に基づいて、数値入力部分の入力値が一定値ずつデクリメントするように表示部へのＧＵＩ部品の表示を制御する。例えば、ＧＵＩ部品上で左方向にフリックすると、数値入力部分の入力値が一定値ずつデクリメントすることで、誤入力の訂正などを行うことが出来る。
【００１９】
この際、１つのＧＵＩ部品につきインクリメントとデクリメントでの変化量は同じとし、部品ごとに異なる変化量を設定できる。
【００２０】
また、入力値に対して境界値を設定しておき、境界値に対する入力値の割合に応じて数値入力部の表示状態を変化させる。
【００２１】
さらに、入力値が境界値に近づいた場合に、数値タイトル部の表示状態を変化させる。
【００２２】
さらに、入力値が境界値と同じになった場合に、数値タイトル部の表示状態を変化させる。
【００２３】
さらに、入力値が境界値を超えた場合に、数値タイトル部の表示状態を変化させる。
【００２４】
あるいは、入力値が境界値近傍を外れた場合に、数値タイトル部の表示状態を変化させる。
【発明の効果】
【００２５】
この発明によると、入力部および表示部を兼ねるタッチパネルを備えた情報処理装置で、必要な情報を過不足なく表示し、迅速に入力を行うことが可能である。
【図面の簡単な説明】
【００２６】
【図１】この発明の実施形態に係る情報処理装置の概略構成を示すブロック図である。
【図２】認知症診断をサポートするシステムでの問診画面の一例である。
【図３】この発明の情報処理装置による、ＧＵＩを用いて選択肢を選択する手法を示す図である。
【図４】この発明の情報処理装置による、ＧＵＩを用いた選択肢の選択手順を説明するフローチャートである。
【図５】看護、介護の現場において生活記録を行うシステムでの、体温を記録する画面で、ＧＵＩを用いて数値を入力する手法を示す図である。
【図６】この発明の情報処理装置による、ＧＵＩを用いた数値の入力手順の一例を説明するフローチャートである。
【図７】図６において定義済みである、警告パターンの設定手法を説明するフローチャートである。
【図８】看護、介護の現場において生活記録を行うシステムでの、摂取水分量を記録する画面で、ＧＵＩを用いて数値を入力する手法を示す図である。
【図９】この発明の情報処理装置による、ＧＵＩを用いた数値の入力手順の他の例を説明するフローチャートである。
【発明を実施するための形態】
【００２７】
以下に、この発明を実施するための形態について、図面に基づいて説明する。
【００２８】
図１は、この発明の実施形態に係る情報処理装置の概略構成を示すブロック図である。図１に示すように、この情報処理装置１は、表示部１０、入力部２０、入力制御部３０、表示制御部４０、記憶部５０、および制御部６０を備える。情報処理装置１の一例としてタブレット端末を挙げることが出来る。タブレット端末は表示部１０、および入力部２０が兼用されるタッチパネルＴＰを備える。
【００２９】
表示部１０は、液晶ディスプレイ、有機ＥＬディスプレイなどの表示デバイスであり、ＧＵＩ部品を表示する。入力部２０は、キーボード、マウス、タッチパッドなどの入力デバイスであり、ＧＵＩ部品に対するタップ操作、フリック操作、スワイプ操作などを受け付ける。本実施形態では、情報処理装置１がタッチパネルＴＰを有するタブレット端末である場合、タッチパネルＴＰに表示部１０および入力部２０は兼用である。
【００３０】
入力制御部３０は、入力信号の操作対象であるＧＵＩ部品を特定し、入力部２０が受け付けた操作の種類が、ＧＵＩ部品のタップ操作なのか、フリック操作なのか、スワイプ操作なのかを判別する。
【００３１】
記憶部５０は、フラッシュＲＯＭ（Read Only Memory）、ＥＥＰＲＯＭ（Electrically Erasable and Programmable ROM）、ＨＤ（Hard Disk）などの記憶デバイスである。記憶部５０は、制御プログラム、一時記憶データなどを記憶する。制御プログラムは、制御部６０により読み出され、情報処理装置１に各種処理を実行させるコンピュータプログラムである。一時記憶データは、入力部２０を介して入力されたデータや、ネットワークを介して受信したデータなどの、情報処理装置に一時的に記憶されるデータである。
【００３２】
表示制御部４０は、表示部１０へのＧＵＩ部品の表示を制御する。表示制御部４０の具体的動作については後に詳述する。
【００３３】
制御部６０は、情報処理端末の各機能部１０〜５０を制御するとともに、記憶部５０に記憶されている制御プログラムを実行するＣＰＵ（Central Processing Unit）やＭＰＵ（MicroProcessing Unit）などの制御デバイスである。
【００３４】
＜実施例１＞
認知症診断の問診では、問診の回答そのものを得ると同時に、患者、および、付添人それぞれの情動や行動パターンが認知症ケアに重要な情報となることから、これらを同時に観察する必要がある。
【００３５】
したがって、これらの観察項目を記録する際に、記録する項目や内容は、スクロールやページ送りをすることなく一度に閲覧出来ることが望ましい。
【００３６】
図２は、認知症診断をサポートするシステムでの問診の画面である。操作性、視認性を維持したまま、１つの部品の表示面積をコンパクトにして、１画面に観察が必要な項目が表示できるよう工夫している。
【００３７】
図３は、ＧＵＩを用いた選択肢の選択手法を示す図である。「拒絶」、「怒り」などの情動は、「なし」、「弱」、「強」の３段階での入力となっている。これらの選択用ＧＵＩ部品Ｇ１は、選択肢のタイトル部分Ｇ１１と、選択肢の項目部分Ｇ１２からなり、ＧＵＩ部品をタップすることで、図３（Ａ）〜図３（Ｃ）に示すように、選択肢を順番に切り替えて表示する。
【００３８】
タップを繰り返し、選択肢の項目の最後（図３（Ｃ）参照。）まで来た場合には、最初の選択肢（図３（Ａ）参照。）に戻り、循環して表示を切り替える。また、表示中の選択肢により、項目部分Ｇ１２の文字色、および、背景色を同時に切り替えることで、選択状態を分かりやすく表示することが出来る。
【００３９】
選択用ＧＵＩ部品Ｇ１を用いた選択手順を図４のフローチャートを用いて詳細に説明する。入力制御部３０が入力部２０から通知された入力が、選択用ＧＵＩ部品Ｇ１のタップ操作であるかどうかを判定する。選択用ＧＵＩ部品Ｇ１のタップ操作でない場合（ステップＳ１でＮＯ）は、制御部６０に選択用ＧＵＩ部品Ｇ１のタップ操作が発生したことが通知され、制御部６０は、表示制御部４０に対して項目切替を指示する（ステップＳ２）。
【００４０】
表示制御部４０は記憶部５０に格納されている選択部品情報から次の選択肢項目の情報を取得する（ステップＳ３）。取得した選択肢項目情報に従い、表示制御部４０は選択用ＧＵＩ部品Ｇ１のタイトル部分の文字色、および、背景色を設定し、さらに項目部分の文字列、文字色、背景色を設定する（ステップＳ４〜Ｓ８）。
【００４１】
すべての設定を行った後、表示制御部４０は表示部１０に表示指示を行う（ステップＳ９）。表示部１０は、選択用ＧＵＩ部品Ｇ１の表示状態を更新する（ステップＳ１０）。
【００４２】
選択用ＧＵＩ部品Ｇ１は選択肢項目のタイトル文字色と背景色の設定がすべて標準であるので、タイトル部分の見た目は変化しない。
【００４３】
＜実施例２＞
図５は、看護、介護の現場において生活記録を行うシステムで、ＧＵＩを用いて体温を記録する手法を示す図である。平熱を基準値に設定しているので、平熱を超えると入力部背景色が変わり、正常な状態か注意を要する状態かが一目で判断出来る。記録対象者の過去の記録から平均体温を自動的に算出し、基準値として設定出来る。
【００４４】
この数値入力用ＧＵＩ部品Ｇ２は、入力項目のタイトル部分Ｇ２１と入力値表示部分Ｇ２２からなり、図５（Ａ）〜図５（Ｃ）に示すように、入力値表示部分Ｇ２２をタップすることで、入力値を一定量（０．１℃）ずつ加算していく。また、入力値表示部分Ｇ２２のスワイプ操作が許可されているので、タップでの加算のほかに、スワイプでの値の増減が可能である。スワイプでの値の増減は、スワイプ幅に応じて増減値が決定され、この例では、図５（Ｄ）に示すように、右スワイプ操作によってタップ操作の場合の１０倍である１℃の加算を行っている。また、左スワイプ操作では、入力値の減算が行えるようになっている。
【００４５】
数値入力用ＧＵＩ部品Ｇ２を用いた数値入力手順を図６のフローチャートを用いて詳細に説明する。
【００４６】
入力制御部３０は、入力部２０が受け付けた操作が数値入力用ＧＵＩ部品Ｇ２のタップ操作であるかどうかを判定する（ステップＳ２１）。
【００４７】
数値入力用ＧＵＩ部品Ｇ２のタップ操作が検出された場合（ステップＳ２１のＹＥＳ）、制御部６０に通知され、制御部６０は記憶部５０に格納されている数値入力部品情報から、増減単位を取得し、現在の値に加算する（ステップＳ２２）。
【００４８】
一方、入力部２０から通知された入力がタップ操作ではなかった場合（ステップＳ２１でＮＯ）の場合、入力制御部３０はそれが数値入力用ＧＵＩ部品Ｇ２のスワイプ操作であるかどうかを判定する（ステップＳ２３）。スワイプ動作ではなかった場合（ステップＳ２３でＮＯ）は処理を終了する。
【００４９】
スワイプ動作であった場合（ステップＳ２３でＹＥＳ）、制御部６０に通知され、制御部６０はスワイプ量から差分量を計算する。差分量は、増減の単位で算出される。例えば、ＧＵＩ部品Ｇ２の幅一杯にスワイプすると大きい単位で増減され、小さい幅でスワイプすると小さい単位で増減されるなどにより、直感的な差分量の設定が可能である。
【００５０】
図５の例では、差分量算出にあたり、数値入力用ＧＵＩ部品Ｇ２の幅のスワイプ量に対し、上限警告割合から下限警告割合を引いたものの半分の量となるようにしている。すなわち、36.1の９７％は34.9、１０３％は37.1であり、差分量の半分は1.1になる。ほぼＧＵＩ部品Ｇ２の幅一杯にスワイプした結果、１℃の加算が行われたことになる。割合ではなく、下限値、上限値を記憶しておいて、スワイプ幅と対応させても良い。
【００５１】
なお、差分量算出の際のスワイプ量に対する差分量の値は、その値自体を数値入力部品情報に持たせるようにしてもよい。部品の大きさと増減単位、および想定される入力値の最大値と最小値から操作しやすい比率にするとよい。
【００５２】
制御部６０はスワイプ動作が右スワイプだった場合（ステップＳ２５でＹＥＳ）は、算出された差分量を入力値に加算する（ステップＳ２６）。
【００５３】
制御部６０はスワイプ動作が左スワイプだった場合（ステップＳ２６でＮＯ）は、算出された差分量を入力値から減算する（ステップＳ２７）。
【００５４】
制御部６０は更新された入力値を表示制御部４０に通知し、入力値更新を指示する（ステップＳ２８）。表示制御部４０は、記憶部５０から基準値を取得し、新たな入力値の基準値に対する割合を算出し（ステップＳ２９）、更新された入力値割合で、割合バーを表示するように設定する（ステップＳ３０）。
【００５５】
この例の場合、割合バー表示色は透過なので、実際には表示されない。さらに表示制御部４０は、警告表示パターンの設定を行う（ステップＳ３１）。すべての設定値を更新した後、表示制御部４０は表示部１０に対して、表示指示を行う（ステップＳ３２）。表示部１０が、数値入力用ＧＵＩ部品Ｇ２の表示状態を更新する（ステップＳ３３）。
【００５６】
次に、上記ステップＳ３１の定義済み処理である警告パターンの設定手法を、図７を用いて説明する。表示制御部４０は、記憶部５０に格納されている数値入力部品情報から、下限警告値割合を取得し、現在の入力値割合と比較する（ステップＳ８０１）。
【００５７】
入力値割合が下限警告値割合未満（ステップＳ８０１でＮＯ）の場合、表示制御部４０は記憶部５０から標準状態を取得し（ステップＳ８０２）、標準文字色（タイトル文字色、入力値文字色）の設定（ステップＳ８０３）、標準背景色（タイトル背景色、入力値背景色）の設定（ステップＳ８０４）、標準割合バー表示色の設定（ステップＳ８０５）の各処理を行う。
【００５８】
入力値が下限警告割合以上（ステップＳ８０１でＹＥＳ）の場合、入力値と基準値とを比較する（ステップＳ８０６）。入力値が基準値未満（ステップＳ８０６でＮＯ）の場合、表示制御部４０は記憶部５０から第１警告状態を取得し（ステップＳ８０７）、第１警告文字色（タイトル文字色、入力値文字色）の設定（ステップＳ８０８）、第１警告背景色（タイトル背景色、入力値背景色）の設定（ステップＳ８０９）、第１警告割合バー表示色の設定（ステップＳ８１０）の各処理を行う。
【００５９】
入力値が基準値以上（ステップＳ８０６でＹＥＳ）の場合、入力値と基準値を比較し(ステップＳ８１１)、入力値と基準値が等しい（ステップＳ８１１でＮＯ）場合、表示制御部４０は記憶部５０から第２警告状態を取得し（ステップＳ８１２）、第２警告文字色（タイトル文字色、入力値文字色）の設定（ステップＳ８１３）、第２警告背景色（タイトル背景色、入力値背景色）の設定（ステップＳ８１４）、第２警告割合バー表示色の設定（ステップＳ８１５）の各処理を行う。
【００６０】
入力値が基準値よりも大きい（ステップＳ８１１でＹＥＳ）場合、表示制御部４０は、記憶部５０から上限警告割合を取得し、入力値割合と上限警告割合を比較する（ステップＳ８１６）。
【００６１】
入力値割合が上限警告割合未満（ステップＳ８１６でＮＯ）の場合、表示制御部４０は記憶部５０から第３警告状態を取得し（ステップＳ８１７）、第３警告文字色（タイトル文字色、入力値文字色）の設定（ステップＳ８１８）、第３警告背景色（タイトル背景色、入力値背景色）の設定（ステップＳ８１９）、第３警告割合バー表示色の設定（ステップＳ８２０）の各処理を行う。
【００６２】
入力値割合が上限警告割合以上（ステップＳ８１６でＹＥＳ）の場合、表示制御部４０は、記憶部５０から第４警告状態を取得し（ステップＳ８２１）、第４警告文字色（タイトル文字色、入力値文字色）の設定（ステップＳ８２２）、第４警告背景色（タイトル背景色、入力値背景色）の設定（ステップＳ８２３）、第４警告割合バー表示色の設定（ステップＳ８２４）の各処理を行う。
【００６３】
＜実施例３＞
図８は、看護、介護の現場において生活記録を行うシステムでの、ＧＵＩを用いて摂取水分量を記録する手法を示す図である。高齢者の場合、脱水症状に陥らないために十分な水分を摂取する必要があるが、同時に余分な水分を排出する力が弱まっているので、特に疾患のある場合は、水分を与えすぎないという点にも注意する必要がある。
【００６４】
このＧＵＩ部品Ｇ３は、入力項目のタイトル部分Ｇ３１と入力値表示部分Ｇ３２からなり、ＧＵＩ部品Ｇ３をタップすることで、入力値を一定量ずつ加算していき、ＧＵＩ部品Ｇ３上でフリック操作を行うことで、一定量ずつ減算していく。
【００６５】
入力された値が、一日に必要な水分量の何パーセントに当たるかを入力値表示部分Ｇ３２に割合バーＧ３３を表示することで視覚的に表現することが出来（図８（Ａ）〜図８（Ｆ）参照。）、入力値が一日に必要な水分量の基準値に近づくとタイトル部分Ｇ３１が黄色になり（図８（Ｄ）参照。）、基準値に到達するとタイトル部分Ｇ３１が赤になり（図８（Ｅ）、図８（Ｆ）参照。）、また、基準値を超えた際には、入力値表示部分の文字色を赤になるなどして、介護者に視覚的に警告を行う。
【００６６】
入力基準値は、医師からの指導、あるいは、ケアマネージャーからのアドバイスなどから項目ごとに任意に設定することが出来、実際に介護を行う家族やケアワーカーがその正確な値を意識しなくても、必要十分な水分を被介護者に与えることが可能となる。
【００６７】
なお、介護の現場では、１ｍｌ単位の正確さよりも迅速な入力が優先される場合があり、加算・減算の単位量は、その入力項目に要求される精度により任意に設定可能にすることが好ましい。
【００６８】
数値入力用ＧＵＩ部品Ｇ３を用いた数値入力手順を図９のフローチャートを用いて詳細に説明する。
【００６９】
入力制御部３０が入力部２０から通知された入力が、数値入力用ＧＵＩ部品Ｇ３のタップ操作であるかを判定する（ステップＳ４１）。
【００７０】
ＧＵＩ部品Ｇ３でのタップ操作が検出された場合（ステップＳ４１でＹＥＳ）、制御部６０に通知され、制御部６０は記憶部５０に格納されている数値入力部品情報から、増減単位を取得し、現在の値に加算する（ステップＳ４２）。
【００７１】
一方、入力部２０から通知された入力がタップ操作ではなかった場合（ステップＳ４１のＮＯ）、入力制御部３０はそれがＧＵＩ部品Ｇ３のフリック操作であるかどうかを判定する（ステップＳ４３）。フリック動作ではなかった場合（ステップＳ４３でＮＯ）は処理を終了する。
【００７２】
フリック動作であった場合（ステップＳ４３でＹＥＳ）、制御部６０に通知され、制御部６０は記憶部５０に格納されている数値入力部品情報から、増減単位を取得し、現在の値から減算する（ステップＳ４４）。
【００７３】
制御部６０は更新された入力値を表示制御部４０に通知し、入力値更新を指示する（ステップＳ４５）。表示制御部４０は、記憶部５０から基準値を取得し、新たな入力値の基準値に対する割合を算出し（ステップＳ４６）、更新された入力値割合で、割合バーを表示するように設定する（ステップＳ４７）。
【００７４】
さらに表示制御部４０は、警告表示パターンの設定を行う（ステップＳ４８）。この警告表示パターンの設定手法は前述した通りである。
【００７５】
すべての設定値を更新した後、表示制御部４０は表示部１０に対して、表示指示を行う（ステップＳ４９）。表示部１０が、数値入力用ＧＵＩ部品Ｇ３の表示状態を更新する（ステップＳ５０）。
【００７６】
上述の実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味および範囲内でのすべての変更が含まれることが意図される。
【符号の説明】
【００７７】
１…情報処理装置
１０…表示部
２０…入力部
３０…入力制御部
４０…表示制御部
５０…記憶部
６０…制御部
Ｇ１…選択用ＧＵＩ部品
Ｇ１１…タイトル部分
Ｇ１２…項目部分
Ｇ２…数値入力用ＧＵＩ部品
Ｇ２１…タイトル部分
Ｇ２２…入力値表示部分
Ｇ３…数値入力用ＧＵＩ部品
Ｇ３１…タイトル部分
Ｇ３２…入力値表示部分
Ｇ３３…割合バー
ＴＰ…タッチパネル
【図１】
2013254249.tif 000003
【図２】
2013254249.tif 000004
【図３】
2013254249.tif 000005
【図４】
2013254249.tif 000006
【図５】
2013254249.tif 000007
【図６】
2013254249.tif 000008
【図７】
2013254249.tif 000009
【図８】
2013254249.tif 000010
【図９】
2013254249.tif 000011